(57)【要約】【課題】  一対のローラ間に球を供給してローラの回転力で球を発射通路に発射する従来のパチンコ機では、球が一対のローラ間に適切に取り込まれず、適切に発射されない。【解決手段】  遊技機枠２と、遊技機枠２の内部に収納された遊技盤３と、遊技盤の前面に形成された発射通路１４と、遊技機枠の内部に設けられた発射装置４と、遊技機枠の前面に設けられた球皿受部１１と、球皿受部から球を発射装置に供給する球供給部１２とを備えたパチンコ機において、発射装置４が、遊技機枠２に取り付けられたモータ１７と、遊技機枠に回転可能に取り付けられた一対のローラ１６ａ；１６ｂと、一対のローラを発射通路に球を発射する方向に互いに逆向きに回転させるように一対のローラとモータの出力軸とを互いに連結する駆動伝達機構１８と、球供給部から受け取った球を一対のローラにおける球の発射方向の後側から一対のローラ間に押し込む押込機構１９とを備えた。【選択図】図１
2006141818.tif 000002
【特許請求の範囲】
【請求項１】
遊技機枠と、遊技機枠の内部に収納された遊技盤と、遊技盤の前面に形成された発射通路と、遊技機枠の内部に設けられた発射装置と、遊技機枠の前面に設けられた球皿受部と、球皿受部から球を発射装置に供給する球供給部とを備えたパチンコ機において、発射装置が、遊技機枠に取り付けられたモータと、遊技機枠に回転可能に取り付けられた一対のローラと、一対のローラを発射通路に球を発射する方向に互いに逆向きに回転させるように一対のローラとモータの出力軸とを互いに連結する駆動伝達機構と、球供給部から受け取った球を一対のローラにおける球の発射方向の後側から一対のローラ間に押し込む押込機構とを備えたことを特徴とするパチンコ機。
【請求項２】
発射装置の一対のローラが発射通路の入口の真下に設けられ、押込機構が一対のローラ間の中央の位置の真下に設けられたことを特徴とする請求項１に記載のパチンコ機。
【発明の詳細な説明】
【技術分野】
【０００１】
本発明は、球を適切に発射可能な発射装置を備えたパチンコ機に関する。
【背景技術】
【０００２】
ピッチングマシンのように一対のローラ間に球を供給してローラの回転力で球を発射通路に発射する発射装置を備えたパチンコ機が知られている。
【特許文献１】実公平３−４６７８５号公報
【特許文献２】実公平３−４６７８４号公報
【特許文献３】実公平３−２１２６７号公報
【特許文献４】実公平３−４６７８３号公報
【特許文献５】特公平６−５５２２８号公報
【発明の開示】
【発明が解決しようとする課題】
【０００３】
従来のパチンコ機の発射装置においては、球皿受部の球供給部から送り出された球が球供給部から一対のローラ間の直前まで下る発射レール上を自然流下して一対のローラ間の直前まで到達する構造なので、球が一対のローラ間に適切に取り込まれず、適切に発射されない。
【課題を解決するための手段】
【０００４】
本発明のパチンコ機は、遊技機枠と、遊技機枠の内部に収納された遊技盤と、遊技盤の前面に形成された発射通路と、遊技機枠の内部に設けられた発射装置と、遊技機枠の前面に設けられた球皿受部と、球皿受部から球を発射装置に供給する球供給部とを備えたパチンコ機において、発射装置が、遊技機枠に取り付けられたモータと、遊技機枠に回転可能に取り付けられた一対のローラと、一対のローラを発射通路に球を発射する方向に互いに逆向きに回転させるように一対のローラとモータの出力軸とを互いに連結する駆動伝達機構と、球供給部から受け取った球を一対のローラにおける球の発射方向の後側から一対のローラ間に押し込む押込機構とを備えたことを特徴とする。発射装置の一対のローラが発射通路の入口の真下に設けられ、押込機構が一対のローラ間の中央の位置の真下に設けられたことも特徴とする。
【発明の効果】
【０００５】
本発明のパチンコ機によれば、押込機構により球を一対のローラ間に押し込むことで、球が一対のローラ間に適切に取り込まれ、適切に発射される。発射装置の一対のローラが発射通路の入口の真下に設けられ、押込機構が一対のローラ間の中央の位置の真下に設けられたので、球を真上に適切に発射できるとともに、外ガイドレールを構成する材料の使用量を削減できる。また、従来技術のような発射レールが不要となる。
【発明を実施するための最良の形態】
【０００６】
図１〜図４は本発明の最良の形態であって、図１は前側から見たパチンコ機の内部を模式的に示し、図２はパチンコ機の遊技機枠の前側の構造を示し、図３は球供給部と発射装置との関係を断面で示し、図４は発射装置の動作を示す。
【０００７】
図１を参照し、本形態によるパチンコ機１を説明する。パチンコ機１は、遊技機枠２の内部に遊技盤３と発射装置４とを備える。遊技機枠２は、固定枠５の前側に可動枠６を備え、可動枠６の前側にパネル枠７および球皿構造体８を備えた構成である。発射装置４は、遊技機枠２の内部である可動枠６の下部壁９の前面において遊技機枠２の前側から見て左側（以下、左；右は遊技機枠２の前側から見た場合の左；右をいう）に設けられる。遊技盤３は可動枠６の下部壁９の上部に形成された遊技主体収納室１０に収納される。球皿構造体８の前面には球皿受部１１が設けられる。球皿構造体８には球皿受部１１から球（パチンコ球）を発射装置４に供給する球供給部１２が設けられる。図１では球供給部１２を図示するために球供給部１２と発射装置４とを便宜上左右に位置をずらして示しているが、実際は、可動枠６に対して球皿構造体８が閉じられた状態において発射装置４の前方に球供給部１２の球出口１３が位置する（図３参照）。発射装置４は、球供給部１２から球を受け、当該球を遊技盤３の前面に形成された発射通路１４に向けて発射する。発射装置４は、可動枠６に取り付けられたベース１５と、ベース１５に回転可能に取り付けられた一対のローラ１６ａ；１６ｂと、ベース１５に固定されたモータ１７と、モータ１７で発生させた回転力を一対のローラ１６ａ；１６ｂに伝達する駆動伝達機構１８と、押込機構１９とを備える。即ち、ローラ１６ａ；１６ｂ、モータ１７、駆動伝達機構１８、押込機構１９はベース１５を介して遊技機枠２の可動枠６に取り付けられる。発射通路１４は、遊技盤３の前面に設けられた内ガイドレール２０の左部分と外ガイドレール２１の左部分との間の隙間により形成される。内ガイドレール２０は遊技主体収納室１０に収納された遊技盤３の前面の左上端側から下中央のアウト口２０ａの下を経由して右上端側にかけて延長して内側に上部開口の円形領域を形成する。内ガイドレール２０の左上部端には弾性材の球戻り防止弁２２が設けられる。内ガイドレール２０の右上部端には発射通路１４から球戻り防止弁２２を通過して遊技領域２３に発射された球の衝突で当該球を遊技領域２３に跳ね返す球反発体２４が設けられる。内ガイドレール２０と外ガイドレール２１とで囲まれた内側の円形領域が遊技領域２３である。外ガイドレール２１は、一般には、球反発体２４の位置から遊技盤３の前面の上方中央に向けて湾曲し、遊技盤３の前面の上方中央から湾曲して遊技盤３の前面の左側に下がって球戻り防止弁２２を経由して内ガイドレール２０の右上部端と左上部端との間を覆い、さらに、遊技盤３の前面の左側の下端近くまで延長する形態である。しかしながら、本形態では、発射装置４の一対のローラ１６ａ；１６ｂ間の中央位置より真上に延長する直線に沿って設けられるような直線的な仮想線で示すレール部分２５を設けず、このレール部分２５の上端に相当する位置２６から球反発体２４の位置まで延長する外ガイドレール２１とした。レール部分２５は、発射装置４が球を下方から上方に行くに従って左側に行くように上方斜めに向けて発射するように設定されている場合において、当該発射装置４から発射された球を上方に誘導する部分である。そして、位置２６に相当する外ガイドレール２１の下端と内ガイドレール２０との間を球１個の直径より大きく球１個の直径の２倍より小さい間隔に形成して発射通路１４の入口２７とした。発射通路１４の入口２７における外ガイドレール２１の下端と内ガイドレール２０との間の中央位置の真下に発射装置４の一対のローラ１６ａ；１６ｂ間の中央位置を合わせた。一対のローラ１６ａ；１６ｂは、ベース１５の前面において水平線上に左右に並ぶように配置される。ローラ１６ａとローラ１６ｂは同規格（同形、同サイズ）のものである。駆動伝達機構１８により一対の２つのローラ１６ａ；１６ｂの円周面の周速度は互いに同じとなるように設定される。押込機構１９は、球供給部１２から受け取った球を一対のローラ１６ａ；１６ｂにおける球の発射方向の後側から一対のローラ１６ａ；１６ｂ間に押し込めるように、一対のローラ１６ａ；１６ｂ間の中央の真下に配置される。従って、水平線上に左右に並べられて、かつ、同規格で周速度の同じ一対のローラ１６ａ；１６ｂ間に、押込機構１９によってローラ１６ａ；１６ｂ間の真下から球が押し込められるので、球はローラ１６ａ；１６ｂ間に適切に取り込まれてローラ１６ａ；１６ｂ間で挟まれ、ローラ１６ａ；１６ｂの回転力によってローラ１６ａ；１６ｂ間の中央の真上に適切に発射され、発射通路１４の入口２７を通過して発射通路１４に入る。本形態では可動枠６の前面の左下側から球を真上に適切に発射できる発射装置４を備えたので、仮想線で示すレール部分２５を設けてもよいが取り除くことができる。レール部分２５を取り除けば、外ガイドレール２１の長さが短くなり、外ガイドレール２１を構成する材料の使用量を削減できる。本形態では、一対のローラ１６ａ；１６ｂ間の中央の真下に押込機構１９を配置したことで、従来技術のような発射レールが不要となる。
【０００８】
図２を参照し、パチンコ機１における遊技機枠２の前側の構造について説明する。遊技機枠２は、固定枠５の前側に可動枠６を左側に位置するヒンジ３０で前側の横方向に片開き可能に取り付け、可動枠６の前側にパネル枠７および球皿構造体８を左側に位置するヒンジ３１で前側の横方向に片開き可能に取付けた構造である。固定枠５は、図外の遊技機設置構造体に取付けるための外枠と呼ばれ、前後方向に開放された縦長な長方形の空間を囲む額縁形状である。可動枠６は、前枠または中枠と呼ばれ、遊技主体としての遊技盤３を取り付けるものである。パネル枠７は、前後方向に貫通する開口部３２を囲む額縁形状である。パネル枠７の裏面には、ガラスなどの光透過性の有る透過性パネル３３が、開口部３２を塞ぐ格好で取り付けられる。球皿構造体８の前面には球皿受部１１と発射操作機構３４とが設けられる。球皿構造体８には、球皿受部１１と球皿構造体８の裏面３５とに貫通して球皿受部１１と可動枠６に設けられた横樋３６の球出口３７とを繋ぐ球取入部３８と、球皿受部１１と球皿構造体８の裏面３５とに貫通して球皿受部１１と発射装置４とを繋ぐ球供給部１２とが形成される。球皿構造体８の裏面３５にはシャッター４０が設けられる。球皿構造体８の裏面３５における球取入部３８の球入口４１は、球皿構造体８が閉じられて可動枠６に支持されることによって、可動枠６の遊技主体棚４２の下部における横樋３６の球出口３７に接続される。シャッター４０は、球皿構造体８が前側に開かれた場合、球皿受部１１の球が球取入部３８の球入口４１から裏側に落下するのを防止する部材であって、球皿構造体８の裏面３５にガイド機構４３で上下方向に移動可能に装着され、図外のばねで上方に跳ね上げられて球取入部３８の球入口４１を閉じる。そして、前側に開けられた球皿構造体８が可動枠６の方向に閉じられた場合、シャッター４０は可動枠６の下部壁９の前面に設けられた図外の突起で下方に移動する。この下方に移動したシャッター４０は球取入部３８の球入口４１を開放する。可動枠６の下部壁９における前面の右側にはシャッター４５が設けられる。シャッター４５は、球皿構造体８が前側に開かれた場合、横樋３６の球が横樋３６の球出口３７から前側に落下するのを防止する部材であって、下部壁９の前面に図外のガイド機構で上下方向に移動可能に装着され、図外のばねで上方に跳ね上げて横樋３６の球出口３７を閉じる。シャッター解除機構４６は、開けられた球皿構造体８が可動枠６の方向に閉じられた後にパネル枠７が可動枠６の方向に閉じられ、このパネル枠７で押されることにより、シャッター４５をばねのばね力に抗して下方に移動する。シャッター解除機構４６で下方に移動させられたシャッター４５は、横樋３６の球出口３７を開放する。可動枠６の遊技主体棚４２より下方に位置する下部壁９の前面の左側には発射装置４が設けられる。球皿構造体８の裏面３５における球供給部１２の球出口１３は、可動枠６に対して球皿構造体８が閉じられた場合に発射装置４の前方に位置する。
【０００９】
パネル枠７が開けられた状態において、遊技盤３の前面が前側に向けられ、遊技盤３の裏面が可動枠６の方向に向けられた状態で、遊技盤３が可動枠６の前側から遊技主体収納室１０に挿入され、遊技盤３の下部が遊技主体棚４２の上に載せられ、遊技盤３の左側部が遊技主体押圧部５２と遊技主体受部５３との間に挿されて前後方向から挟まれた後、遊技盤３の右側部が作業者によって後側に押され、遊技主体ロック部材５４のロック操作部５５が遊技盤３の取付部５６におけるロック挿入孔５７に後側から挿入されて前側に突出した状態において、作業者がロック操作部５５を例えば右方向に９０度回転操作すると、ロック操作部５５がロック挿入孔５７の周りにおける取付部５６と係合し、遊技盤３が可動枠６に取り付けられる。このように遊技盤３を収納した可動枠６が固定枠５に対して閉じられて固定枠５に支持され、球皿構造体８及びパネル枠７が可動枠６に対して閉じられて可動枠６に支持される。
【００１０】
図１に戻って、固定枠５に対して可動枠６が閉じられ、可動枠６に対して球皿構造体８及びパネル枠７が閉じられた状態において、遊技盤３の前面の遊技領域２３には、飾り部品６０、始動入賞部品６１、可変入賞部品６２、一般入賞部品６３、風車６４、サイドランプ飾り部品６５、釘６６などの遊技部品が設けられる。飾り部品６０の光透過性の有る透過性パネル６７の裏側には液晶表示器のような図柄表示器６８が配置される。パネル枠７の前面にはランプ飾り６９が設けられる。可動枠６あるいは遊技盤３の裏側には制御装置７０（図３参照）やタンク７１や払出機構７２（図２参照）、図外の球樋等が設けられる。
【００１１】
図３；図４を参照し、発射装置４及び球供給部１２の詳細を説明する。発射装置４は、ベース１５と一対のローラ１６ａ；１６ｂとモータ１７と駆動伝達機構１８と押込機構１９とで構成される。ベース１５は、上部に裏開放の凹部７５を備え、この凹部７５内にモータ１７及び駆動伝達機構１８が設けられる。ベース１５の凹部７５の底壁により形成される支持壁７６には、当該支持壁７６の前裏面に貫通した軸受孔７７ａ；７７ｂが前側から見て水平線上に左右に二つ並ぶように形成される。軸受孔７７ａには軸７８ａが前後に貫通するよう挿入される。軸受孔７７ｂには軸７８ｂが前後に貫通するよう挿入される。軸７８ａの前端部と後端部は異形軸部に形成される。軸７８ａの軸受孔７７ａより前側の前端異形軸部にはローラ１６ａの中心異形孔が嵌め込まれることでローラ１６ａが軸７８ａに対して回転不能に固定される。軸７８ａの前端異形軸部におけるローラ１６ａの前側には図外の止輪が取り付けられていていローラ１６ａの脱落が防止される。軸７８ａの軸受孔７７ａより後側の後端異形軸部には歯車７９ａの中心異形孔が嵌め込まれることで歯車７９ａが軸７８ａに対して回転不能に固定される。軸７８ａの後端異形軸部における歯車７９ａの後側には図外の止輪が取り付けられていてい歯車７９ａの脱落が防止される。軸７８ｂの前端異形軸部にはローラ１６ａと同様にローラ１６ｂが取り付けられ、軸７８ｂの後端異形軸部には歯車７９ａと同様に歯車７９ｂが取り付けられる。ローラ１６ａ；１６ｂとしては、全体がゴムにより形成されたローラを用いる。あるいは、樹脂や金属などの剛体により形成されたローラ本体の円周の表面がゴムのような弾性材料で被覆されるようにローラ本体の円周表面に当該弾性材料を接着したローラを用いる。歯車７９ａと歯車７９ｂは同規格のものが使用され、歯車７９ａの歯と歯車７９ｂの歯とが互いに噛み合うように歯車７９ａと歯車７９ｂとが設置される。一対のローラ１６ａ；１６ｂ間の間隔は、球１個の直径より小さく、ローラ１６ａ；１６ｂ間に１個の球が押し込まれた場合にローラ１６ａ；１６ｂの円周の表面の弾性材料が変形することで球１個をローラ１６ａ；１６ｂで挟み込める程度の間隔に設定される。モータ１７はベース１５の凹部７５の側壁８０に固定される。モータ１７の出力軸である回転可能なモータ軸８１の先端部は異形軸部に形成される。モータ軸８１の先端異形軸部に歯車８２の中心異形孔が嵌め込まれることで歯車８２がモータ軸８１に対して回転不能に固定される。モータ軸８１の先端異形軸部における歯車８２の前側には図外の止輪が取り付けられていてい歯車８２の脱落が防止される。歯車８２の歯は一方の歯車７９ａの歯と噛み合わされる。すなわち、モータ軸８１の先端部に固定された歯車８２と、当該歯車８２と噛み合う歯車７９ａと、歯車７９ａと噛み合う歯車７９ｂと、軸７８ａと、軸７８ｂとにより、一対のローラ１６ａ；１６ｂを発射通路１４に球を発射する方向に互いに逆向きに回転させるように一対のローラ１６ａ；１６ｂとモータ軸８１とを互いに連結する駆動伝達機構１８が構成される。図４（ａ）に示すように、モータ１７の駆動によりモータ軸８１及び歯車８２が矢印ａで示す一方向に回転し、一方の歯車７８ａ及びローラ１６ａ（右のローラ）が矢印ｂに示すように右回りに回転するとともに、他方の歯車７８ｂ及びローラ１６ｂ（左のローラ）が矢印ｃに示すように左回りに回転することで、一対のローラ１６ａ；１６ｂが互いに逆向きに回転する。
【００１２】
押込機構１９は、ソレノイド８５とソレノイド作動棒８６の先端に設けられた球受体８７とにより形成される。ソレノイド８５はベース１５の前面において一対のローラ１６ａ；１６ｂ間の中央の真下に取り付けられる。球受体８７はゴムのような弾性材料により形成される。球受体８７の上面の中央には凹部８８が形成される。凹部８８の内面は球の半球面と同じ面形状に形成される。球受体８７の上面の前端８９から凹部８８までは下方に傾斜する傾斜面９０に形成される。凹部８８の最低部は一対のローラ１６ａ；１６ｂ間の中央の真下に位置される。図４（ａ）に示すように、ソレノイド８５の図外の電磁石への電力供給を遮断した非作動状態では、ソレノイド作動棒８６が戻りばね９３の弾性力で移動して球受体８７がソレノイド本体９４に近づくので、球とローラ１６；１６ｂとは接触しない。図４（ｂ）に示すように、ソレノイド８５の電磁石への電力を供給した作動状態では、ソレノイド作動棒８６が戻りばね９３に抗して移動して球受体８７がローラ１６ａ；１６ｂに近づいて球受体８７の凹部８８に保持された球をローラ１６ａ；１６ｂ間に押し込む。
【００１３】
球供給部１２は、球皿受部１１と球出口１３とを繋ぐ球通路９９を形成する球通路構造体１００と、球送部材１０１と、ソレノイド１０２と、図外の駆動伝達機構とを備える。球通路構造体１００の球出口１３付近の側壁１０３に取り付けられた軸１０４の異形軸部に球送部材１０１の中心異形孔が嵌め込まれることで球送部材１０１が軸１０４に対して回転不能に固定される。球送部材１０１は図外の止輪により軸１０４からの脱落が防止される。軸１０４に取り付けられた球送部材１０１の上部には球押さえ部１０５を備える。球送部材１０１は図３の実線に示すような球送状態において、上部の後端から下方前方に湾曲し後に後方下方に延長して非作動状態のソレノイド作動棒８６の先端の球受体８７に連接する球送面１０６を備える。ソレノイド１０２の駆動により図外の駆動伝達機構を介して軸１０４が所定角度だけ往復回転する。これにより、球送部材１０１も実線の位置と想像線の位置と間を往復回転運動する。図３に示すように、制御装置７０の制御下でソレノイド１０２が駆動し、球送部材１０１を実線の状態から想像線の状態に変化させて再び実線の状態に戻すことで、球通路９９から１個の球が球送部材１０１の球送面１０６を流下して球出口１３より排出され、非作動状態のソレノイド作動棒８６の球受体８７に供給される。球送部材１０１が実線の状態から想像線の状態に変化すると、球押さえ部１０５により停止していた実線で示す球Ｐ１は想像線Ｐａで示すように球送面１０６の球保持部１０７に入る。この際、実線で示す球Ｐ１に続く実線で示す後続球Ｐ２は想像線Ｐｂで示す位置に移動する。次に球送部材１０１が想像線の状態から実線線の状態に変化すると、想像線Ｐａで示す球が球受体８７に流下するとともに、後続球Ｐ２は想像線Ｐａの位置で球押さえ部１０５により停止する。球送部材１０１が図３の実線と想像線との状態を交互に繰り返すことで、球通路９９から球受体８７の凹部８８に球が１個ずつ供給される。球送部材１０１の球送面１０６が非作動状態のソレノイド作動棒８６の先端の球受体８７に連接するとともに、球受体８７が傾斜面９０を備えるので、球送面１０６より供給された球は傾斜面９０を経由して凹部８８まで確実に到達する。凹部８８を備えるので、凹部８８に保持された球を一対のローラ１６ａ；１６ｂ間の中央に正確に押し込めることができ、球を真上に正確に飛ばすことが出来る。また、モータ１７、ソレノイド８５、ソレノイド１０２は、それぞれ配線１１０により制御装置７０に電気的に接続される。
【００１４】
図１に戻って、球の発射制御について説明する。制御装置７０が電力供給で起動し、球皿受部１１に球が投入されている状態において、発射操作機構３４のグリップ部１１１の内側に設けられた図外のタッチセンサからグリップ部１１１に遊技者の手の触れていることを検出した信号（接触信号）が制御装置７０に入力され、発射操作機構３４に設けられた図外の停止スイッチから遊技者による球の発射停止操作を検出した信号（発射停止信号）が制御装置７０に入力されていない場合には、発射操作機構３４のハンドルレバー１１２が人により発射操作されると、制御装置７０はソレノイド１０２を駆動して球送部材１０１を作動させるとともに、モータ１７を駆動して一対のローラ１６ａ；１６ｂを回転させる。そして、球送部材１０１により非作動状態のソレノイド作動棒８６の球受体８７に球が１個供給されると、制御装置７０がソレノイド８５に電力を供給してソレノイド作動棒８６を作動状態とし、これにより、回転する一対のローラ１６ａ；１６ｂ間に球が押し込まれて球とローラ１６ａ；１６ｂとが接触し、ローラ１６ａ；１６ｂの回転力で球を真上に発射する。制御装置７０は、球送部材１０１を駆動するソレノイド１０２と押込機構１９のソレノイド８５との駆動間隔をプログラム制御により監視しており、例えば、発射装置４に一分間当たり１００発未満（例えば９９発）の球を発射させる。尚、発射操作機構３４に設けられた図外の可変抵抗器のような操作量検出手段により発射操作機構３４のハンドルレバー１１２の操作量が検出され、この操作量が制御装置７０に出力され、制御装置７０がこの操作量に応じてモータ１７のモータ軸８１の回転速度を変える。つまり、遊技者が、ハンドルレバー１１２を操作することで一対のローラ１６ａ；１６ｂが回転し、ハンドルレバー１１２の回転操作量を調整することでローラ１６ａ；１６ｂの回転速度が変わり、球の発射力が変わる。
【産業上の利用可能性】
【００１５】
左側のローラ１６ｂの円周面の周速度を右側のローラ１６ａの円周面の周速度よりも速くするというように左右一対のローラ１６ａ；１６ｂの円周面の周速度を互いに異ならせることで、発射された球が真上に直進して発射通路１４に到達した後に右側に曲がる曲線軌道を描いて飛ぶようにすることも可能である。右側に曲がる曲線軌道は可動枠６の左下側に発射装置４を設けた場合であるが、発射装置４を可動枠６の右下側に設けた場合には左右一対のローラ１６ａ；１６ｂの円周面の周速度を互いに異ならせる態様を上記と逆にすることで達成できる。凹部８８の底の球面の曲率を球の球面の曲率より小さくしても良い。つまり、凹部８８の底の球面を球の球面よりカーブのゆるい面に形成しても良い。この場合でも、凹部８８の最低部を一対のローラ１６ａ；１６ｂ間の中央の真下に位置させることで、凹部８８に供給された球は凹部８８の最低部に停止した状態の後に押込機構１９の作動で一対のローラ１６ａ；１６ｂ間の中央に正確に押し込められるので、球を真上に正確に飛ばすことが出来る。凹部８８の深さは、球を一対のローラ１６ａ；１６ｂ間に押し込む動作において球受体８７がローラ１６ａ；１６ｂと接触しないような深さに設定すればよい。球受体８７の凹部８８は、球の中心が一対のローラ１６ａ；１６ｂ間の中央の真下に位置するよう球を保持できる形状であれば良い。
【図面の簡単な説明】
【００１６】
【図１】前側から見たパチンコ機の内部を模式的に示した正面図（最良の形態）。
【図２】パチンコ機の遊技機枠の前側の構造を示した斜視図（最良の形態）。
【図３】球供給部と発射装置との関係を示した断面図（最良の形態）。
【図４】発射装置の動作を示す図（最良の形態）。
【符号の説明】
【００１７】
１  パチンコ機、２  遊技機枠、３  遊技盤、４  発射装置、１１  球皿受部、
１２  球供給部、１６ａ;１６ｂ  一対のローラ、１７  モータ、１８  駆動伝達機構、
１９  押込機構、８１  モータ軸（モータの出力軸）。
【図１】
2006141818.tif 000003
【図２】
2006141818.tif 000004
【図３】
2006141818.tif 000005
【図４】
2006141818.tif 000006